(57)【要約】【課題】  画像形成装置１からユーザへの情報の伝達をユーザに適応する言語で迅速、且つ、簡便に実行すること。【解決手段】  端末位置収集部５０２は、無線通信を行い、少なくとも１台の携帯端末装置１０ａ、１０ｂ、１０ｃ、１０ｄとの距離を計測し、端末特定部５０３は、端末位置収集部５０２の計測結果に基づいて画像形成装置１に最も近い携帯端末装置を選択端末装置として特定し、表示制御部５０５は、上記選択端末装置から取得したユーザ情報に基づいて、所定の表示情報を表示/操作部５７に表示する。【選択図】        図３
2007090570.tif 000002
【特許請求の範囲】
【請求項１】
携帯端末装置と無線通信を行い、該携帯端末装置からユーザ情報を取得し、所定の表示情報を表示する画像形成装置であって、
複数の携帯端末装置と前記無線通信を行い、各携帯端末装置との距離を計測する端末位置収集部と、
該端末位置収集部の計測結果に基づいて前記画像形成装置に最も近い携帯端末装置を選択端末装置として特定する端末特定部と、
前記選択端末装置から取得した前記ユーザ情報に基づいて、前記表示情報を表示させる表示制御部とを備えることを特徴とする画像形成装置。
【請求項２】
前記端末位置収集部は、
前記携帯端末装置に計測問い合わせ情報を送信し、該計測問い合わせ情報に対応する計測応答情報を前記携帯端末装置から受信し、前記計測問い合わせ情報の送信から前記計測応答情報の受信に至るまでの遅延時間に基づいて前記携帯端末装置の距離を計測することを特徴とする請求項１に記載の画像形成装置。
【請求項３】
前記ユーザ情報には、
前記携帯端末装置のユーザの使用言語情報を含み、
該使用言語情報を取得管理し、前記表示制御部が制御して前記表示情報を表示させる言語を、前記ユーザの使用言語情報に基づいて選択するユーザ情報管理部を更に備えることを特徴とする請求項１叉は請求項２に記載の画像形成装置。
【請求項４】
前記表示制御部の制御を停止させる表示切替管理部を更に備えることを特徴とする請求項１から請求項３までの何れか一項に記載の画像形成装置。
【請求項５】
前記表示切替管理部は、
前記画像形成装置のユーザによって該画像形成装置に入力されるロック信号に基づいて前記表示制御部の制御を停止させることを特徴とする請求項４に記載の画像形成装置。
【発明の詳細な説明】
【技術分野】
【０００１】
本発明は、携帯端末装置と無線通信が可能な画像形成装置に関する。
【背景技術】
【０００２】
近年、携帯端末装置によって制御可能な画像形成装置が普及している。かかる画像形成装置では、例えば印刷中に障害が発生した等の場合には、通常、画像形成装置に予め選択された言語により携帯端末装置のユーザに障害の発生を通知し、その障害の排除を要求する。この機能を実現するために、該画像形成装置は、複数の言語に対応したメッセージ格納部と、メニュー特定キーによる言語選択部と、その携帯端末装置のユーザに障害の発生状況等を知らせる表示部とを備えている（特許文献１参照）。
【特許文献１】特開平８−１０８６０２号公報
【発明の開示】
【発明が解決しようとする課題】
【０００３】
解決しようとする問題点は、上記従来の技術では、予め設定された言語種により表示メッセージを表示するが、全てのユーザが同一言語の利用者とは限らず、その都度、言語の切替え処理を行う必要があった。
【課題を解決するための手段】
【０００４】
本発明は、携帯端末装置と無線通信を行い、該携帯端末装置からユーザ情報を取得し、所定の表示情報を表示する画像形成装置であって、複数の携帯端末装置と上記無線通信を行い、各携帯端末装置との距離を計測する端末位置収集部と、該端末位置収集部の計測結果に基づいて前記画像形成装置に最も近い携帯端末装置を選択端末装置として特定する端末特定部と、上記選択端末装置から取得した上記ユーザ情報に基づいて、上記表示情報を表示させる表示制御部とを備えることを主要な特徴とする。
【発明の効果】
【０００５】
本発明では、最も近い端末装置を特定し、そのユーザに対応する言語によりメッセージを表示するようにしたので、その都度、言語切替え処理を行う必要がなくなるという効果を得る。
【実施例１】
【０００６】
図１は、実施例１に係る画像形成装置を含むシステム構成図である。
図中、１は、実施例１に係る画像形成装置であり、１０ａ、１０ｂ、１０ｃ、１０ｄは、それぞれ携帯端末装置を表している。点線の円は、画像形成装置１の配設場所を中心とし、該中心からの等距離地点を表している。ここでは、最も外側の円まで無線通信が可能であるものとする。ここで画像形成装置１は、ディジタル複合機であり、携帯端末装置１０ａ、１０ｂ、１０ｃ、１０ｄは、携帯電話器などの他に、例えば非接触で無線通信可能な媒体が搭載されているカード（例えば社員番号の登録された社員証）等をも含むものとする。次に画像形成装置１について詳細に説明する。最初に画像形成装置の主要機構概略について説明し、続いて構成の主要部分について説明し、更に、本発明を構成する機能について説明する。
【０００７】
図２は、実施例１に係る画像形成装置の主要機構概略説明図である。
図に示すように、実施例１の画像形成装置１は、ディジタル複合機であり、プリンタ部２と、スキャナ部３と、フィニッシャ部４とを備える。
【０００８】
プリンタ部２は、受入れた画像データに基づいて記録紙上に所定の画像を印刷するＬＥＤ方式のディジタルカラープリンタである。給紙トレイ２０１、２０３、２０４、２０５にセットされた記録紙は、給紙部２０６によって給紙され、画像形成部２０７によって、シアン（Ｃ）、マゼンタ（Ｍ）、イエロー（Ｙ）、ブラック（Ｋ）の各トナー像が形成される。
【０００９】
このトナー像は、定着器２０８によって記録紙上に定着され、排出部２１１によってプリンタ部２の上面のスタッカまたはフィニッシャ部４に排出される。記録紙の両面に印刷する場合には、両面印刷ユニット２１０は、定着器２０８によって一方の面にトナー像が定着された記録紙を、印刷されていない、もう一方の面にトナー像が形成されるように、記録紙を反転させて画像形成部２０７へ搬送する。
【００１０】
スキャナ部３は、紙やフィルムといった記録媒体に描画（印刷）された画像を取り込む部分である。自動原稿送りユニット３００叉は、ガラス台３０１にセットされた写真、文書、図面等の原稿は、読取ヘッド３０２によって光学的に走査（スキャン）され、その反射光や透過光の強度が測定され、この強度がＡＤ（アナログーディジタル）変換され、画像データとしてプリンタ部２へ送られる。
【００１１】
フィニッシャ部４は、プリンタ部２により印刷され、排出された記録紙をステイプルしたり、穴あけしたりして外部へ排出する部分である。
【００１２】
図３は、実施例１に係る画像形成装置の構成のブロック図である。
図に示すように、実施例１の画像形成装置１は、プリンタ部２と、スキャナ部３と、フィニッシャ部４と、プリンタＩＦ部６と、スキャナＩＦ部７と、フィニッシャＩＦ部８と、ＣＰＵ５０と、ＲＯＭ５１と、ＲＡＭ５２と、有線通信部５３と、無線通信部５４と、システムバス５５と、プリンタ制御部５６と、表示/操作部５７と、スキャナ制御部５８とを備える。
【００１３】
プリンタ部２は、上記図２を用いて説明したように、受入れた画像データに基づいて記録紙上に所定の画像を印刷して出力するＬＥＤ方式のディジタルカラープリンタである。
【００１４】
スキャナ部３は、上記図２を用いて説明したように、紙やフィルムといった記録媒体に描画（印刷）された画像を取り込んで画像データを出力する部分である。
フィニッシャ部４は、上記図２を用いて説明したように、プリンタ部２により印刷された記録紙をステイプルしたり、穴あけしたりして外部に排出する部分である。
【００１５】
プリンタＩＦ部６は、プリンタ部２とプリンタ制御部５６とを通信接続するインタフェース部分である。
スキャナＩＦ部７は、スキャナ部３とスキャナ制御部５８とを通信接続するインタフェース部分である。
フィニッシャＩＦ部８は、プリンタ部２とフィニッシャ部４とを通信接続するインタフェース部分である。
【００１６】
ＣＰＵ５０は、ＲＯＭ５１に予め格納されている所定の制御プログラムを実行することによって、プリンタ制御部５６、及びスキャナ制御部５８を起動させて画像形成装置１全体を制御するマイクロプロセッサである。更に、本実施例では、特に、ＲＯＭ５１に予め格納されている所定の制御プログラムを実行することによって、後に本実施例の機能説明で詳細に説明する、システム制御部５０１と、端末位置収集部５０２と、端末特定部５０３と、ユーザ情報管理部５０４と、表示制御部５０５とを起動する部分でもある。
【００１７】
ＲＯＭ５１は、ＣＰＵ５０が実行することによってプリンタ制御部５６、及びスキャナ制御部５８を起動させて画像形成装置１全体を制御する制御プログラムを予め格納するリードオンリーメモリである。更に、本実施例では、特に、ＣＰＵ５０が実行することによって、後に本実施例の機能説明で詳細に説明する、システム制御部５０１と、端末位置収集部５０２と、端末特定部５０３と、ユーザ情報管理部５０４と、表示制御部５０５とを起動する制御プログラム、及び表示/操作部５７に表示する各国言語のメッセージ等を予め格納するリードオンリーメモリでもある。
【００１８】
ＲＡＭ５２は、ＣＰＵ５１の主メモリであり、画像形成装置１と無線通信可能な携帯端末装置から取得した、該携帯端末装置のユーザ情報及び位置を特定するためのカウンタ値を対応付けて保存する応答端末情報テーブル１０００と画像形成装置１に最も近くに位置する携帯端末装置のＩＤを保存する選択端末ＩＤ１００１とを含むメモリである。ここで、応答端末情報テーブル１０００の内容について詳細に説明する
【００１９】
図４は、実施例１に係る画像形成装置の応答端末情報テーブルの説明図である。
図に示すように、応答端末情報テーブル（一例）は、Ｎ行（Ｎは正の整数）４列で構成される。最上行のエントリＴＢＬ−０は、各列に含まれる内容を示す情報である。ここでは、一例としてエントリ♯、当該端末装置を識別するための携帯端末ＩＤ、当該携帯端末装置の位置を特定するためのカウンタ値（この内容については後述する）、当該携帯端末装置のユーザにとって最適の言語ＩＤが含まれる。後に続くエントリＴＢＬ−１〜ＴＢＬ−Ｎは、各々の携帯端末装置に該当する情報を表している。尚、ユーザ情報にはユーザの氏名や電子メールアドレス等の一般的な情報を含めても良い。
【００２０】
図３に戻って、有線通信部５３は、図示しないインタフェースを介して、ＵＳＢ（ユニバーサルシリアルバス）等の有線ケーブルで外部機器と接続して通信する部分である。
無線通信部５４は、無線アンテナ５４ａから電波や光等の無線信号を入出力する図示しない無線インタフェースを介して、数１０メートルの範囲内の携帯端末装置１０ａ、１０ｂ、１０ｃ、１０ｄと通信する部分である。更に、その内部には、図示しない共通周期のクロック信号発生手段を有し、上記カウンタ値の取得を可能にしている。
システムバス５５は、各構成部分を接続する共通の信号通路である。
【００２１】
プリンタ制御部５６は、プリンタ部２、及びフィニッシャ部４の全体を制御する部分であり、ＲＯＭ５１に予め格納されている所定の制御プログラムをＣＰＵ５０が実行することによって起動される部分である。
【００２２】
表示/操作部５７は、液晶ディスプレイやＬＥＤ等の表示装置、テンキーやスイッチ等の入力装置等からなり、画像形成装置の状態や設定画面、無線通信部５４を介して携帯端末装置１０ａ、１０ｂ、１０ｃ、１０ｄから取得したユーザ情報に基づいてＲＯＭ５１やＲＡＭ５２から読み出された表示情報を表示する部分である。
【００２３】
スキャナ制御部５８は、スキャナ部３全体を制御する部分であり、ＲＯＭ５１に予め格納されている所定の制御プログラムをＣＰＵ５０が実行することによって起動される部分である。
【００２４】
図５は、実施例１に係る画像形成装置の機能ブロック図である。
この図は、ＣＰＵ５０（図３）が、特に本実施例に於いて、ＲＯＭ５１（図３）に予め格納されている所定の制御プログラムを実行することによって起動する、システム制御部５０１、端末位置収集部５０２、端末特定部５０３、ユーザ情報管理部５０４、及び、表示制御部５０５の機能を説明するブロック図である。
【００２５】
図に於いて、システム制御部５０１は、有線通信部５３（図３）を介して受信した画像データや、スキャナ部３（図３）が読み取り、スキャナ制御部５８（図３）がスキャナＩＦ７を介して受信した画像データを解析し、印刷データに変換し、プリンタ制御部５６（図３）からプリンタＩＦ６を介してプリンタ部２（図３）へ出力する。叉、画像データの解析状況や、プリンタ部２（図３）から受入れた障害情報等を表示制御部５０５へ出力し、表示/操作部５７（図３）へ表示させる。更に、有線通信部５３（図３）等によって受信した認証印刷ジョブ等のユーザ固有の情報をユーザ情報管理５０４へ入出力する。
【００２６】
端末位置収集部５０２は、無線通信部５４（図３）を制御して通信可能な携帯端末装置を検出し、検出した携帯端末装置の位置情報、及び、ユーザ情報を収集して応答端末情報テーブル１０００（図４）に格納する。以下、検出出来た携帯端末装置を応答端末と記すこととする。ここで、端末位置収集部５０２（図５）が各携帯端末装置に対して計測問合わせデータを送出し、その応答データを受信することによって各携帯端末装置の位置情報を取得する方法について説明する。但し、通信可能な携帯端末装置が既に検出されているものとして説明する。尚、通信可能な携帯端末装置の検出方法については後に動作フローチャートを用いて詳細に説明する。
【００２７】
図６は、実施例１に係る画像形成装置の位置検出処理タイミングチャートである。
図に於いて最上段から順に、共通周期クロックの信号応答、携帯端末装置１０ｃの信号応答、携帯端末装置１０ｄの信号応答、携帯端末装置１０ｂの信号応答をそれぞれ表し、最下段に図中左から右へ経過する各段共通の時刻を表している。以下に端末位置収集５０２（図５）による計測問合わせデータの送出、及びこの応答である計測応答データの受信について、時刻の経過に従って説明する。
【００２８】
時刻Ｔ２
端末位置収集部５０２は、計測問合わせデータを携帯端末装置１０ｃへ送出する。この計測問合わせデータには、宛先（ここでは携帯端末装置１０ｃの携帯端末ＩＤ）と、送信元（ここでは画像形成装置１）と内容（計測問合わせデータである旨）が含まれている。
時刻Ｔ４
端末位置収集部５０２は、計測問合わせデータを携帯端末装置１０ｄへ送出する。
時刻Ｔ６
端末位置収集部５０２は、計測問合わせデータを携帯端末装置１０ｂへ送出する。同時に携帯端末装置１０ｃから計測応答データを受信する。この計測応答データには、宛先（ここでは画像形成装置１）と、送信元（ここでは携帯端末装置１０ｃの携帯端末ＩＤ）と内容（計測応答データである旨）が含まれている。
時刻Ｔ１０
端末位置収集部５０２は、携帯端末装置１０ｄから計測応答データを受信する。
時刻Ｔ１６
端末位置収集部５０２は、携帯端末装置１０ｂから計測応答データを受信する。
【００２９】
以上の結果に基づいて、端末位置収集部５０２は、携帯端末装置１０ｃのカウント値を時刻Ｔ６−時刻Ｔ２＝２クロック、携帯端末装置１０ｄのカウント値を時刻Ｔ１０−時刻Ｔ４＝３クロック、携帯端末装置１０ｂのカウント値を時刻Ｔ１６−時刻Ｔ６＝５クロックとして収集する。
【００３０】
図５に戻って、端末特定部５０３は、端末位置収集部５０２によって収集された位置情報に基づいて、画像形成装置１に最も近い携帯端末装置を特定する手段である。この特定方法については後に動作フローチャートを用いて詳細に説明する。以下、画像形成装置１に最も近いと特定された携帯端末装置を選択端末と記すこととする。上記図６によれば選択端末は携帯端末装置１０ｃとなる。
【００３１】
ユーザ情報管理部５０４は、端末特定部５０３によって特定された選択端末を、ＲＡＭ５２（図３）の選択端末ＩＤ１００１に格納し管理する。叉、選択端末ＩＤ１００１（図３）に格納されている選択端末ＩＤに基づいて応答端末情報テーブル（図４）からユーザ情報を取得する。叉、ユーザ情報に基づいて、図示しない記憶装置（ハードディスク等）から対応する表示情報や、認証印刷ジョブ等を読み出す。更に、ユーザ情報に基づいて表示言語を決定する。
【００３２】
表示制御部５０５は、表示/操作部５７（図３）に、ユーザ情報管理部５０４が決定した表示言語によって表示情報を表示させる。叉、表示/操作部５７（図３）から入力された情報を解析して表示を切替えたり、入力された情報をシステム制御部５０１へ出力する。
【００３３】
次にフローチャートを用いて本実施例の動作について説明する。
図７は、実施例１に係る画像形成装置の位置検出処理のフローチャートである。
このフローチャートを用いて画像形成装置１（図１）が携帯端末装置１０ａ、１０ｂ、１０ｃ、１０ｄ（図１）の位置（カウント値）を検出する動作についてステップ順に説明する。この処理は、所定間隔（例えば５秒おき）に行なわれる。
【００３４】
ステップＳ１−１
端末位置収集部５０２（図５）は、ＲＡＭ５２（図３）の内部に応答端末情報テーブル１０００（図４）を作成する。
【００３５】
ステップＳ１−２
端末位置収集部５０２（図５）は、応答端末を検出するために無線通信部５４（図３）から周囲の携帯端末装置に対してブロードキャストで、問合わせパケットを送出する。この問合わせパケットには、送信元（画像形成装置１）と問い合わせの内容（ここでは、携帯端末ＩＤと言語ＩＤ）が含まれている。
【００３６】
ステップＳ１−３
端末位置収集部５０２（図５）は、応答端末からの応答時間を計測するためのタイマを起動する。
【００３７】
ステップＳ１−４
端末位置収集部５０２（図５）は、応答端末からの応答があるか否か、上記タイマがカウントアップするまで待って、応答があった場合にはステップＳ１−５へ進み、カウントアップした場合にはステップＳ１−８へ進む。
【００３８】
ステップＳ１−５
端末位置収集部５０２（図５）は、応答端末から受信した応答パケットから該応答端末を無線通信上で識別するためのユーザ情報を取得する。具体的には、携帯端末装置１０ａ、１０ｂ、１０ｃ、１０ｄが応答パケットを返信する。この応答パケットには、宛先（ここでは画像形成装置１）と、送信元（ここでは各携帯端末装置の携帯端末ＩＤ）と応答内容（ここでは言語ＩＤ等のユーザ情報）が含まれている。従って、端末位置収集部５０２（図５）は、携帯端末ＩＤと言語ＩＤとを取得することが出来る。尚、ユーザ情報にはユーザの氏名や電子メールアドレス等の一般的な情報を含めても良い。
【００３９】
ステップＳ１−６
端末位置収集部５０２（図５）は、ステップＳ１−５で取得した携帯端末ＩＤが応答端末情報テーブル１０００（図４）に保存されているか否かを確認する。保存されている場合（認識済）にはステップＳ１−４へ進み、保存されていない場合（初めて認識）の場合にはステップＳ１−７へ進む。
【００４０】
ステップＳ１−７
端末位置収集部５０２（図５）は、ステップＳ１−５で取得した携帯端末ＩＤのユーザ情報を応答端末情報テーブル１０００（図４）の空き領域に保存してステップＳ１−４へ戻る。
【００４１】
ステップＳ１−８
端末位置収集部５０２（図５）は、少なくとも１つの応答端末が検出され、応答端末情報テーブル１０００（図４）に少なくとも１つの応答端末が保存されているか否かを確認し、携帯端末ＩＤが保存されている場合にはステップＳ１−９へ進み、保存されていない場合にはフローを終了する。
【００４２】
ステップＳ１−９
端末位置収集部５０２（図５）は、図６に示す手順に従って、検出された応答端末（図６では１０ｃ、１０ｄ、１０ｂ）に計測問い合わせデータ（パケット）を送信する。このパケットには、宛先（応答端末）と送信元（ここでは画像形成装置１）と内容（計測問い合わせデータである旨）が含まれている。
【００４３】
ステップＳ１−１０
端末位置収集部５０２（図５）は、図６に示す手順に従って、検出された応答端末（図６で葉１０ｃ、１０ｄ、１０ｂ）から計測問い合わせデータ（パケット）を受信する。このパケットには、宛先（ここでは画像形成装置１）と送信元（応答端末）と内容（計測応答データである旨）が含まれている。
【００４４】
ステップＳ１−１１
端末位置収集部５０２（図５）は、応答端末情報テーブル１０００（図４）内のエントリからカウンタ値が未取得（保存されていない）である応答端末の携帯端末ＩＤを取得する。
【００４５】
ステップＳ１−１２
端末位置収集部５０２（図５）は、カウンタ値が未取得（保存されていない）である応答端末のカウント値を、図６に示す手順に従って算出する。
【００４６】
ステップＳ１−１３
端末位置収集部５０２（図５）は、算出したカウント値を、応答端末情報テーブル１０００（図４）内の該当する携帯端末ＩＤのエントリの所定の位置に、クロック数に換算して保存する。
【００４７】
ステップＳ１−１４
端末位置収集部５０２（図５）は、応答端末情報テーブル１０００（図４）内にカウンタ値がまだ保存されていないエントリがないかを確認し、全てのエントリにカウンタ値が保存されていればフローを終了し、保存されていなければステップＳ１−１１へ戻って、ステップＳ１−１１からステップＳ１−１４を繰り返し、全てのエントリにカウンタ値が保存された後フローを終了する。
【００４８】
図８は、実施例１に係る画像形成装置の特定処理フローチャートである。
この図は位置検出処理によって検出された応答端末で画像形成装置１に最も近くに位置する応答端末を特定する端末特定部５０３（図５）の処理を表すフローチャートである。このフローチャートを用いてステップ順に特定処理について説明する。
【００４９】
ステップＳ１−２１
端末特定部５０３（図５）は、応答端末情報テーブル１０００（図４）の先頭のエントリＴＢＬ−１を読み出し、基準エントリとして設定する。
【００５０】
ステップＳ１−２２
端末特定部５０３（図５）は、応答端末情報テーブル１０００（図４）内に後に続くエントリがあるか否かを確認し、あればステップＳ１−２３へ進み、無ければフローを終了する。
【００５１】
ステップＳ２−２３
端末特定部５０３（図５）は、応答端末情報テーブル１０００（図４）から次のエントリを読み出して、比較エントリとして設定する。
【００５２】
ステップＳ２−２４
端末特定部５０３（図５）は、基準エントリのカウンタ値と、比較エントリのカウンタ値とを比較して基準エントリのカウンタ値が、小さければステップＳ１−２２へ戻り、大きければステップＳ２−２５へ進む。
【００５３】
ステップＳ２−２５
端末特定部５０３（図５）は、基準エントリの内容を比較エントリの内容で置き換える。本実施例では、最終的にエントリＴＢＬ−３が基準エントリとして設定される。
【００５４】
図９は、実施例１に係る画像形成装置のユーザ情報取得処理のフローチャートである。
この図は端末特定部５０３（図５）によって画像形成装置１に最も近くに位置すると特定された応答端末からユーザ情報を取得するユーザ情報管理部５０４（図５）の処理と、表示制御部５０５（図５）の処理を表すフローチャートである。このフローチャートを用いてステップ順にユーザ情報の取得処理について説明する。
【００５５】
ステップＳ１−３１
ユーザ情報管理部５０４（図５）は、ＲＡＭ５２（図３）の選択端末ＩＤ１００１（図３）から携帯端末ＩＤを読み出す。
【００５６】
ステップＳ１−３２
ユーザ情報管理部５０４（図５）は、端末特定部５０３（図５）によって基準エントリとして設定された選択端末の携帯端末ＩＤと、選択端末ＩＤ１００１（図３）から読み出した携帯端末ＩＤとを比較し、一致していればフローを終了し、一致していなければ、ステップＳ１−３３へ進む。
【００５７】
ステップＳ１−３３
ユーザ情報管理部５０４（図５）は、端末特定部５０３（図５）によって基準エントリとして設定された選択端末の携帯端末ＩＤを選択端末ＩＤ１００１（図３）に格納する。
【００５８】
ステップＳ１−３４
ユーザ情報管理部５０４（図５）は、選択端末ＩＤ１００１（図３）の言語ＩＤを取得して表示制御部５０５（図５）へ送出する。尚、このとき取得するユーザ情報は言語ＩＤのみに限定されるものでは無い。即ち、ユーザの氏名や電子メールアドレス等の一般的なユーザ情報であっても良い。
【００５９】
ステップＳ１−３５
表示制御部５０５（図５）は、表示/操作部５７（図３）に表示しているメッセージ（図示していない）を、ユーザ情報管理部５０４（図５）から受入れた言語ＩＤに基づく言語のメッセージに変更する。言語ＩＤは、例えば英語であれば００１、日本語であれば００２のように、予め画像形成装置１、及び携帯端末装置との間で決められている値である。このとき、ユーザ情報に基づく表示は、画像形成装置１に記憶されている情報のみを表示するものではなく、ステップＳ１−３４で取得したユーザ情報を表示するものであっても良い。
【００６０】
以上説明したように、本実施例では、無線通信によって取得されるユーザ情報に、携帯端末装置のユーザの使用言語情報が含まれており、従来技術のように、表示情報を表示する言語の選択をユーザに求めることなく、ユーザ情報管理部が、自動的にユーザ使用言語情報に基づいて選択するので、画像形成装置からユーザへの情報の伝達が迅速、且つ、簡便に成るという効果を得る。
【実施例２】
【００６１】
上記実施例１に於いて、携帯端末装置を所持しないユーザが画像形成装置を使用中に、携帯端末装置を所持するユーザが、不意に画像形成装置に近づいてくる場合もあり得る。かかる場合には、現在使用中の携帯端末装置を所持しないユーザの設定をそのままに維持させる必要がある。本実施例では、表示制御部の切替えを停止させる表示切替管理部を更に備えることとする。以下に実施例１との相違部分のみについて説明する。
【００６２】
実施例２に係る画像形成装置を含むシステム構成は、図１に於いて、実施例１の画像形成装置１が実施例２の画像形成装置１００に置き換わるのみであって、内容説明は図１を用いて説明した実施例１と全く同様なので説明を省略する。叉、実施例２の画像形成装置１００の主要機構概略も実施例１に係る画像形成装置１の主要機構概略（図２）と全く同様なので説明を省略する。
【００６３】
図１０は、実施例２に係る画像形成装置の構成のブロック図である。
図に示すように、実施例２の画像形成装置１００は、プリンタ部２と、スキャナ部３と、フィニッシャ部４と、プリンタＩＦ部６と、スキャナＩＦ部７と、フィニッシャＩＦ部８と、ＣＰＵ１５０と、ＲＯＭ１５１と、ＲＡＭ１５２と、有線通信部５３と、無線通信部５４と、システムバス５５と、プリンタ制御部５６と、表示/操作部５７と、スキャナ制御部５８とを備える。以下に実施例１と相違する部分のみについて説明する。実施例１と同様の部分については実施例１と同一の符号を付して説明を省略する。
【００６４】
ＣＰＵ１５０は、ＲＯＭ１５１に予め格納されている所定の制御プログラムを実行することによって、プリンタ制御部５６、及びスキャナ制御部５８を起動させて画像形成装置１００全体を制御するマイクロプロセッサである。更に、本実施例では、特に、ＲＯＭ１５１に予め格納されている所定の制御プログラムを実行することによって、後に本実施例の機能説明で詳細に説明する、システム制御部５０１と、端末位置収集部５０２と、端末特定部５０３と、ユーザ情報管理部５０４と、表示制御部５０５と、表示切換管理部５０６を起動する部分でもある。
【００６５】
ＲＯＭ１５１は、ＣＰＵ１５０が実行することによってプリンタ制御部５６、及びスキャナ制御部５８を起動させて画像形成装置１００全体を制御する制御プログラムを予め格納するリードオンリーメモリである。更に、本実施例では、特に、ＣＰＵ１５０が実行することによって、後に本実施例の機能説明で詳細に説明する、システム制御部５０１と、端末位置収集部５０２と、端末特定部５０３と、ユーザ情報管理部５０４と、表示制御部５０５と、表示切換管理部５０６とを起動する制御プログラム、及び表示/操作部５７に表示する各国言語のメッセージ等を予め格納するリードオンリーメモリでもある。
【００６６】
ＲＡＭ１５２は、ＣＰＵ１５１の主メモリであり、画像形成装置１００と無線通信可能な携帯端末装置から取得した、該携帯端末装置のユーザ情報及び位置を特定するためのカウンタ値を対応付けて保存する応答端末情報テーブル１０００と、画像形成装置１に最も近くに位置する携帯端末装置のＩＤを保存する選択端末ＩＤ１００１と、表示/操作部５７の図示しないロックスイッチ（切替えを停止スイッチ）の状態を管理する切替ロックフラグ２０００とを含むメモリである。
【００６７】
ここで切替ロックフラグ２０００は、携帯端末装置を所持しないユーザが画像形成装置を使用中に、携帯端末装置を所持するユーザが、不意に画像形成装置に近づいてくる場合等に、図示しないロックスイッチが、現在使用中のユーザの設定をそのままに維持させているか否かを表すフラグである。
【００６８】
図１１は、実施例２に係る画像形成装置の機能ブロック図である。
この図は、ＣＰＵ１５０（図１０）が、特に本実施例に於いて、ＲＯＭ１５１（図１０）に予め格納されている所定の制御プログラムを実行することによって起動する、システム制御部５０１、端末位置収集部５０２、端末特定部５０３、ユーザ情報管理部５０４、表示制御部５０５、表示切換管理部５０６の機能を説明するブロック図である。以下に実施例１と相違する部分のみについて説明する。実施例１と同様の部分については実施例１と同一の符号を付して説明を省略する。
【００６９】
表示切換管理部５０６は、携帯端末装置を所持しないユーザが画像形成装置を使用中に、携帯端末装置を所持するユーザが、不意に画像形成装置に近づいてくる場合等に、現在使用中のユーザの設定をそのままに維持させるために、表示制御部５０５の制御を停止させるロックスイッチの役割を果たす。これは、表示/操作部５７を用いて、ユーザによってロック設定されたり、叉は図示しないホストコンピュータから受入れるロックコマンドによって起動される。
【００７０】
次にフローチャートを用いて本実施例の動作について説明する。
実施例２に係る画像形成装置の位置検出処理（図７）、及び画像形成装置の特定処理（図８）は、実施例１に於いて図７を用いて説明した内容、及び実施例１に於いて図８を用いて説明した内容と同様なので説明を省略し、ここでは、ユーザ情報取得処理の内容のみについて説明する。
【００７１】
図１２は、実施例２に係る画像形成装置のユーザ情報取得処理のフローチャートである。
この図はユーザ情報管理部５０４（図１０）の処理と、表示切替管理部５０６（図１０）の処理、及び表示制御部５０５（図１０）の処理を表すフローチャートである。このフローチャートを用いてステップ順にユーザ情報の取得処理について説明する。
【００７２】
ステップＳ２−１
ユーザ情報管理部５０４（図１１）は、ＲＡＭ１５２（図１０）の切替ロックフラグ２０００からフラグ状態を読み出す。このフラグ状態は、表示切換管理部５０６によって、表示/操作部５７を用いてユーザによって設定されたり、叉は図示しないホストコンピュータから受入れるロックコマンドによって既に設定されているものとする。
【００７３】
ステップＳ２−２
ユーザ情報管理部５０４（図１１）は、切替ロックフラグ２０００がオンであればフローを終了し、オフであればステップＳ２−３へ進む。
【００７４】
ステップＳ２−３
ユーザ情報管理部５０４（図１１）は、ＲＡＭ１５２（図１１）の選択端末ＩＤ１００１（図１０）から携帯端末ＩＤを読み出す。
【００７５】
ステップＳ２−４
ユーザ情報管理部５０４（図１１）は、端末特定５０３（図１１）によって基準エントリとして設定された選択端末の携帯端末ＩＤと、選択端末ＩＤ１００１（図１０）から読み出した携帯端末ＩＤとを比較し、一致していればフローを終了し、一致していなければ、ステップＳ２−５へ進む。
【００７６】
ステップＳ２−５
ユーザ情報管理部５０４（図１１）は、端末特定部５０３（図１１）によって基準エントリとして設定された選択端末の携帯端末ＩＤを選択端末ＩＤ１００１（図１０）に格納する。
【００７７】
ステップＳ２−６
ユーザ情報管理部５０４（図１１）は、選択端末ＩＤ１００１（図１０）の言語ＩＤを取得して表示制御部５０５（図１０）へ送出する。尚、このとき取得するユーザ情報は言語ＩＤのみに限定されるものでは無い。即ち、ユーザの氏名や電子メールアドレス等の一般的なユーザ情報であっても良い。
【００７８】
ステップＳ２−７
表示制御部５０５（図１１）は、表示/操作部５７（図１０）に表示しているメッセージ（図示していない）を、ユーザ情報管理部５０４（図１１）から受入れた言語ＩＤに基づく言語のメッセージに変更する。言語ＩＤは、例えば英語であれば００１、日本語であれば００２のように、予め画像形成装置１００、及び携帯端末装置との間で決められている値である。このとき、ユーザ情報に基づく表示は、画像形成装置１００に記憶されている情報を表示することを特定するものではなく、ステップＳ２−６で取得したユーザ情報であっても良い。
【００７９】
以上説明したように、本実施例では、実施例１に於ける効果に加え、携帯端末装置を所持しないユーザが画像形成装置を使用中に、携帯端末装置を所持するユーザが、不意に画像形成装置に近づいてくる場合等であっても、現在使用中のユーザの設定をそのままに維持させることが可能であり、正確な動作を保持できるという効果を得る。
【産業上の利用可能性】
【００８０】
以上の説明では、本発明をプリンタ適用した場合について説明したが、本発明は、この例に限定されるものではない。即ち、ファクシミリ装置や、複写機などにも適用可能である。
【図面の簡単な説明】
【００８１】
【図１】実施例１に係る画像形成装置を含むシステム構成図である。
【図２】実施例１に係る画像形成装置の主要機構概略説明図である。
【図３】実施例１に係る画像形成装置の構成のブロック図である。
【図４】実施例１に係る画像形成装置の応答端末情報テーブルの説明図である。
【図５】実施例１に係る画像形成装置の機能ブロック図である。
【図６】実施例１に係る画像形成装置の位置検出処理タイミングチャートである。
【図７】実施例１に係る画像形成装置の位置検出処理のフローチャートである。
【図８】実施例１に係る画像形成装置の特定処理フローチャートである。
【図９】実施例１に係る画像形成装置のユーザ情報取得処理のフローチャートである。
【図１０】実施例２に係る画像形成装置の構成のブロック図である。
【図１１】実施例２に係る画像形成装置の機能ブロック図である。
【図１２】実施例２に係る画像形成装置のユーザ情報取得処理のフローチャートである。
【符号の説明】
【００８２】
１    画像形成装置
２    プリンタ部
３    スキャナ部
４    フィニッシャ部
６    プリンタＩＦ部
７    スキャナＩＦ部
８    フィニッシャＩＦ部
１０ａ、１０ｂ、１０ｃ、１０ｄ    携帯端末装置
５０    ＣＰＵ
５１    ＲＯＭ
５２    ＲＡＭ
５３    有線通信部
５４    無線通信部
５４ａ    無線アンテナ
５５    システムバス
５６    プリンタ制御部
５７    表示/操作部
５８    スキャナ制御部
５０１    システム制御部
５０２    端末位置収集部
５０３    端末特定部
５０５    表示制御部
１０００    応答端末情報テーブル
１００１    選択端末ＩＤ
【図１】
2007090570.tif 000003
【図２】
2007090570.tif 000004
【図３】
2007090570.tif 000005
【図４】
2007090570.tif 000006
【図５】
2007090570.tif 000007
【図６】
2007090570.tif 000008
【図７】
2007090570.tif 000009
【図８】
2007090570.tif 000010
【図９】
2007090570.tif 000011
【図１０】
2007090570.tif 000012
【図１１】
2007090570.tif 000013
【図１２】
2007090570.tif 000014